(57)【要約】【課題】プレゼンス・サービスを改良する。【解決手段】少なくとも一人の送信者（１）と少なくとも一人の受信者（３、５）が、直接又は別のプレゼンス・サービス・システムを通して接続されるプレゼンス・サービス・システムにおけるメッセージ配信の方法。本発明に依ると、その方法は、要求仕様と共にメッセージを前記送信者（１）から第一のサービス・プロバイダー（７）へ送信し、前記要求仕様は、前記受信者及び／又は前記送信者のプレゼンス・コンテクストにおいて前記メッセージが配信される条件を決定すること、前記メッセージと要求仕様を記憶すること、前記受信者及び／又は前記送信者の実際のプレゼンス・コンテクストを前記要求仕様と比較すること、前記要求仕様の条件が適合するときに、前記メッセージを配信すること、を含む。【選択図】図３
2010092495.tif 000002
【特許請求の範囲】
【請求項１】
少なくとも一人の送信者（１）と少なくとも一人の受信者（３、５）が、直接又は別のプレゼンス・サービス・システムを通して接続されるプレゼンス・サービス・システムにおけるメッセージ配信の方法であって、
要求仕様と共にメッセージを前記送信者（１）から第一のサービス・プロバイダー（７）へ送信し、前記要求仕様は、前記受信者及び／又は前記送信者のプレゼンス・コンテクストにおいて前記メッセージが配信される条件を決定すること、
前記メッセージと要求仕様を記憶すること、
前記受信者及び／又は前記送信者の実際のプレゼンス・コンテクストを前記要求仕様と比較すること、
前記要求仕様の条件が適合するときに、前記メッセージを配信すること、
を特徴とするメッセージ配信の方法。
【請求項２】
前記送信者及び受信者の両者が、互いのプレゼンスを購読すること、を特徴とする請求項１記載の方法。
【請求項３】
要求されたプレゼンス・コンテクストを有する前記受信者へ前記メッセージを配信すること、を特徴とする請求項１又は２に記載の方法。
【請求項４】
前記受信者に対し、前記送信者のプレゼンス表示において前記メッセージを示すことにより、前記メッセージを配信すること、を特徴とする請求項１〜３のいずれか一つに記載の方法。
【請求項５】
前記メッセージの配信は、例えば、あらゆる種類のネットワークを介したＳＭＳ、インスタント・メッセージ又は電子メールとして前記受信者に送信される前記メッセージの提供を含むこと、を特徴とする請求項１〜３のいずれか一つに記載の方法。
【請求項６】
少なくとも一人の送信者（１）と少なくとも一人の受信者（３、５）が直接又は別のプレゼンス・サーバー（１３）を通して接続されるプレゼンス・サービスの少なくとも一つのプレゼンス・サーバー（１１）に接続可能な適合手段であって、
要求仕様と共にメッセージを前記送信者（１）から受信するように構成された受信手段（３１）を含み、前記要求仕様は、前記受信者及び／又は前記送信者のプレゼンス・コンテクストにおいて前記メッセージが配信される条件を決定し、
前記メッセージと前記要求仕様を記憶するように構成された記憶手段（３３）を含み、
前記受信者及び／又は前記送信者の実際のプレゼンス・コンテクストを前記要求仕様と比較するように構成された適合手段（３５）を含み、
前記要求仕様の条件が適合したとき前記メッセージを配信するように構成された配信手段（３７）を含む、
こと、を特徴とする適合手段。
【請求項７】
前記受信手段（３１）は、前記メッセージと前記要求仕様を前記第一のプレゼンス・サーバー（１１）から受信するように構成されること、を特徴とする請求項６記載の適合手段。
【請求項８】
前記記憶手段は、前記適合手段に接続されたデータ・ベース（１７）に前記メッセージ及び前記要求仕様を記憶するように構成されること、を特徴とする請求項６又は７に記載の適合手段。
【請求項９】
前記配信手段（３７）は、前記受信者に対し前記送信者（１）のプレゼンス表示において前記メッセージを示すことにより前記メッセージを配信するように構成されること、を特徴とする請求項６〜８のいずれか一つに記載の適合手段。
【請求項１０】
前記配信手段（３７）は、例えば、あらゆる種類のネットワークを通したＳＭＳ、インスタント・メッセージ又は電子メールとして前記受信者に送信される前記メッセージを提供するように構成されること、を特徴とする請求項６〜８のいずれか一つに記載の適合手段。
【請求項１１】
直接又は別のサービス・プロバイダー（９）を通してプレゼンス・サービス・システムに接続されている少なくとも一つのサービス・プロバイダー（７）及び少なくとも一人の送信者（１）及び少なくとも一人の受信者（３、５）を含むプレゼンス・サービス・システムであって、前記サービス・プロバイダー（７）は、請求項６〜１０のいずれか一つに記載の適合手段を含むこと、を特徴とするプレゼンス・サービス・システム。
【発明の詳細な説明】
【技術分野】
【０００１】
本発明の技術分野
本発明は、少なくとも一人の送信者と少なくとも一人の受信者が、直接又は別のプレゼンス・サービス・システムを通して接続されるプレゼンス・サービス・システムにおけるメッセージの配信に関する。
【０００２】
本発明はまた、少なくとも一人の送信者と少なくとも一人の受信者が直接又は別のプレゼンス・サーバーを通して接続されるプレゼンス・サービス・システムにおける、少なくとも一つのプレゼンス・サーバーに接続可能な適合手段に関する。
【０００３】
本発明はさらに、少なくとも一つのサービス・プロバイダー、及び、直接又は別のプレゼンス・サーバーを通してプレゼンス・サービス・システムに接続されている少なくとも一人の送信者と少なくとも一人の受信者の両者を含むプレゼンス・サービス・システムに関する。
【背景技術】
【０００４】
関連技術
プレゼンス・サービスは、このサービスの加入者の通信利用の可能性や意思をお互いに容易に知らせることのできるネットワーク・サービスである。各加入者は、仲間リスト（buddy list）と呼ばれるリストを持ち、それは、各加入者がプレゼンス情報を得たいと思っている他の加入者のプレゼンス・アドレスを含む。仲間リストは、加入者の使う端末にインストールされたプレゼンス・クライアントに置かれ、プレゼンス・クライアントによって管理される。
【０００５】
プレゼンス・アドレスは、関連する加入者に関するプレゼンス情報が検索されるある種のプレゼンス・システムを指し示す。プレゼンス・システムは、プレゼンス・サーバーであってもよく、それは、このプレゼンス・サーバーを指し示すプレゼンス・アドレスを有する加入者のプレゼンス状態に関する最新の情報を保持する。それとは別に、プレゼンス情報は、端末のソフトウェアから直接取り出すこともできる。この場合、プレゼンス・アドレスは、直接、端末のソフトウェアを指し示す。
【０００６】
このサービスの加入者が、自分のプレゼンス状態を変化させようと思う場合、その加入者は、プレゼンス・クライアントの提供するある種の入力手段を使用する。この変化は、プレゼンス・アドレスが指し示しているプレゼンス・システム、例えばプレゼンス・サーバー、に対して送信される。プレゼンス状態は、“存在”、“不在”（ネットワークに接続されていないのと同じ）又は“存在するが通信する気はない”とすることができる。プレゼンス・サーバーは、この人からのプレゼンス情報を購読している加入者に通知する。この通知は、変化したプレゼンス状態に関する情報を含む。しかしながら、この人が自己のプレゼンス情報の受信許可を与えた加入者のみが、情報を入手できる。加入者は、様々なプレゼンス・サーバーに接続でき、その場合でも、お互いのプレゼンスを購読することができる。この場合、プレゼンス・サーバーは、他の関連したプレゼンス・サーバーに対して、プレゼンス状態の変化を送信する。
【０００７】
プレゼンス情報は、例えば、加入者のディスプレイ上のアイコンとして表示される。このアイコンは、場合によっては、ユーザーの与えたテキストを伴っていてもよい。テキストは、“不在”状態に対する理由についての情報でもよい。プレゼンス情報は、例えば、加入者がどの装置のところに存在しているのか、加入者がオンラインであるのか否か、加入者の位置、加入者が電話で通話中か否か、いかなる手段で加入者は連絡を取ってほしいのか（音声、テキスト、ビデオ等々）、加入者の気分等、に関する情報を含んでいてもよい。プレゼンス情報におけるコンテンツのこれら全ての様々な可能性を、今後、プレゼンス・コンテクストと呼ぶ。
【０００８】
プレゼンス・サービスは、例えば、ＷＯ  ０１／５６３０８に開示されている。
【先行技術文献】
【特許文献】
【０００９】
【特許文献１】国際公開特許（ＷＯ）０１／５６３０８
【発明の概要】
【発明が解決しようとする課題】
【００１０】
本発明は、さらに、メッセージングに関する。今日のメッセージングは、例えば、ＳＭＳ（Short Message Service）、インスタント・メッセージ、ＥＭＳ（Enhanced Messaging Service）及びマルチメディア・メッセージングを含み、この場合、メッセージは、音声、画像、その他のファイル型を含む。これらは、信号受信機又は複合型受信機に送信できて、直ちに配信されるか後で配信するために記憶される。メッセージは、例えば、ＧＳＭ（Global System for Mobile Communication）、ＧＰＲＳ（General Packet Radio Service）、インターネットのような、様々なネットワークを通して、例えば、パソコン、ＰＤＡ（Personal Digital Assistant）、携帯電話のような、様々な端末と送受信される。
【００１１】
要約
本発明の目的は、プレゼンス・サービスを改良することである。
【００１２】
本発明の更なる目的は、受信者に対してメッセージを示す条件をメッセージの送信者が指示することのできるプレゼンス・サービスを提供することである。
【課題を解決するための手段】
【００１３】
これらの目的は、始めに述べたように、請求項１の特徴を有する方法で達成される。
【００１４】
これらの目的は、また、始めに述べたように、請求項６の特徴を有する適合手段によっても達成される。
【００１５】
これらの目的は、さらに、始めに述べたように、サービス・プロバイダーが前記適合手段を有するプレゼンス・サービス・システムで達成される。
【００１６】
適合手段とプレゼンス・サービス・システムというこの方法によると、送信者のプレゼンス・コンテクスト及び／または受信者のプレゼンス・コンテクストにおける、ある条件にメッセージを結びつけることができる。すなわち、例えば、位置や利用可能性や他の型のプレゼンス・コンテクスト、に関して指示されたある条件を、受信者及び／又は送信者が満たしているときに限って、メッセージを配信することができる。
【００１７】
適切に、送信者と受信者の両者は、お互いのプレゼンスを購読することができる。このとき、送信者は、自分のプレゼンスを受信者が購読することを認めており、逆もまた同様である。すなわち、受信者と送信者の認証は、既存のプレゼンス・サービスを用いて解決される。
【００１８】
メッセージは、要求されたプレゼンス・コンテクストを有する受信者に対して配信されるのが望ましい。
【００１９】
一つの具体例において、送信者のプレゼンス表現において受信者に対してメッセージを示すことによってメッセージは配信される。
【００２０】
別の具体例において、メッセージの配信は、例えば、あらゆる種類のネットワークを通したＳＭＳ、インスタント・メッセージ又は電子メール、として受信者に送信されるメッセージを提供することを含む。
【００２１】
更なる有益な具体例が、従属請求項において説明される。
【図面の簡単な説明】
【００２２】
【図１】本発明の一つの実施例に依るプレゼンス・サービスが使用されるネットワーク。
【図２】本発明の一つの実施例に依る適合手段の概略図。
【図３】本発明の一つの実施例のフローチャート。
【発明を実施するための形態】
【００２３】
具体例の詳細な説明
図１は、本発明の一つの具体例に依るプレゼンス・サービスが使用されるネットワークを示す。一人の送信者１及び第一、第二の受信者３、５が示されている。この具体例において、送信者１は、第一、第二の受信者３、５両者のプレゼンスを購読し、第一、第二の受信者３、５両者は、送信者１のプレゼンスを購読する。送信者１は、第一のサービス・プロバイダー７からのプレゼンス・サービスに加入する。第一の受信者３も、第一のサービス・プロバイダー７からのプレゼンス・サービスに加入するが、第二の受信者５は、第二のサービス・プロバイダー９からのプレゼンス・サービスに加入する。第一のサービス・プロバイダー７は、第一のプレゼンス・サーバー１１を含み、第二のサービス・プロバイダー９は、第二のプレゼンス・サーバー１３を含む。第一、第二のプレゼンス・サーバー１１、１３は、様々な加入者のプレゼンス・コンテクストに関する情報を通信し送信することができる。
【００２４】
本発明によれば、第一のサービス・プロバイダー７はさらに適合手段１５を含み、その手段は、第一のプレゼンス・サーバー１１に接続されているか取り込まれている。適合ユニット１５に接続されているデータ・ベース１７も、第一のサービス・プロバイダー７の中に与えられている。本発明によれば、送信者１は、第一のプレゼンス・サーバー１１に対して、要求仕様と共にメッセージを送信する。受信者及び／又は送信者のプレゼンス・コンテクストにおいてメッセージが配信される条件を前記要求仕様は決定する。このメッセージと要求仕様は、第一のサービス・プロバイダー７内のデータ・ベース１７に記憶される。
【００２５】
要求仕様は、送信者のプレゼンス・コンテクストにおける条件と受信者のプレゼンス・コンテクストにおける条件の両者を指定する。例えば、受信者は、メッセージを受信するためにある位置やある気分を有する必要がある。メッセージの配信は、送信者のプレゼンス・コンテクストが要求仕様に合っているときに実行されるよう制限できる。例えば、受信者が送信者の家を通り過ぎるときに、受信者が入ってくることを請うメッセージを受信者に送るなら、送信者１は家にいる必要がある。
【００２６】
適合手段１５は、送信者のプレゼンスを購読する受信者、受信者のプレゼンスを送信者も購読しているのだが、のプレゼンス・コンテクストをデータ・ベースに記憶されている要求仕様と繰り返し比較し、受信者のプレゼンス・コンテクストが要求仕様に合っている場合に、受信者にメッセージを配信する責任を有している。第一又は第二の受信者３、５が自分のプレゼンスを、それが要求仕様に一致するように変化させた場合、メッセージがこの受信者に送信される。上述したように、メッセージを配信するためには送信者のプレゼンス・コンテクストが、要求仕様と相互に関連している必要もある。
【００２７】
メッセージの配信は、様々な方法で実行し得る。一つの可能性として、要求仕様が満たされたとき、メッセージは、送信者のプレゼンス表現に関して受信者の仲間リストの中で見えるようになる、すなわち、メッセージは、送信者のプレゼンス情報の一部となり得る。別の具体例において、適合手段１５は、受信者に対してメッセージを電子メール、ＳＭＳ、インスタント・メッセージ又はあらゆるほかの種類のメッセージとして送信する責任がある。メッセージは、あらゆる種類の様々なネットワークを通して送受信し得るが、必ずしもテキストのメッセージである必要はなく、例えば、音声、画像、アニメーション、ファイル、電話信号等や、これらの組み合わせであってもよい。
【００２８】
図１に示すように、受信者は、両者とも送信者１と同じサービス・プロバイダー７に接続されている、もしくは、別のプロバイダーに接続されている。第一、第二のプレゼンス・サーバー１１、１３は、加入者に関するプレゼンス情報を互いに送信する。
【００２９】
一つの望ましい具体例において、送信者と受信者の両者は、お互いのプレゼンスを購読せねばならない。このとき、送信者は、自分のプレゼンスを受信者が購読することを認めており、逆もまた同様である。すなわち、受信者と送信者の認証は、既存のプレゼンス・サービスを用いて解決される。
【００３０】
しかしながら、送信者が受信者のプレゼンスを購読しない場合でも、本発明の方法を用いることは可能である。この場合には、受信者のプレゼンス・サービスに対する追加が必要となる。なぜなら、送信者が受信者のプレゼンスを購読しない場合には、受信者のプレゼンスは、要求仕様に一致すべき送信者のプレゼンス・サーバーへ自動的に送信されないからである。このように、受信者のプレゼンス・サーバーは、とにかく送信者のプレゼンス・サーバーに対して受信者のプレゼンス・コンテクストを送信すべきだと知る必要があり、受信者はこのことを認めなければならない。送信者と受信者の両者が、両者のお互いのプレゼンスの認可を購読するときに、パーティは既に実行されており、関係するプレゼンス・サーバーは加入者に関するプレゼンス情報を交換する。
【００３１】
送信者は、例えばプレゼンス・コンテクストに関係するメッセージを送る人々のグループのような、複数の送信者であってもよく、送信者は、受信者と同じであってもよい。好適には、送信者は、記憶されているメッセージをいかなるときにも変更したり消去したりすることができる。
【００３２】
一つの具体例において、受信者がメッセージを受信したときに、送信者へ通知される。受信者が、メッセージに返信することもできる。返信のメッセージは、適合する要求なしに送信者に直接送信されるか、メッセージの受信に対するのと同じ適合する要求と共に送信者に送信されるか、のいずれかである。すなわち、送信者のプレゼンス・コンテクストがメッセージの受信に対する元の要求仕様に適合しているときにだけ、送信者は返信を受信できる。例えば、受信者は、その位置が要求された位置と合っているときにメッセージを受信する。受信者は、そのメッセージに返信するが、送信者は、その位置がもともと要求された位置と適合しているときにだけ、その返信を受信できる。この場合、送信者は、返信があるとき、通知を受ける。
【００３３】
この応用に包含される本発明の更なる変形では、受信者は、要求仕様において求められるプレゼンス状態を実際に有する必要はない。受信者が、要求されたプレゼンス状態を適合手段に対して指定するなら、それでも十分である。
【００３４】
送信者は、プレゼンス・サービス・クライアント又はインターフェースを通して要求仕様を指定することにより、要求仕様を設定する。それとは別に、送信者がメッセージを送信するときに、要求仕様が送信者のプレゼンス・コンテクストとなるように自動的に設定されてもよい。例えば、メッセージを送信するときにある位置に存在することによって、要求仕様は、受信者がメッセージを受信するためにその位置に存在する必要があるように設定される。
【００３５】
図２は、本発明の一つの具体例に依る適合手段の概略図である。それは、先に定義したように、送信者１からのメッセージ及び要求仕様を受信するように適合された受信手段３１を含む。受信手段３１は、メッセージ及び要求仕様を記憶するように適合された記憶手段３３に接続される。好適には、上述したようにメッセージ及び要求仕様は、データ・ベース１７に記憶される。さらに、適合手段は、受信手段３１と記憶手段３３に接続される適合ユニット３５を含む。適合ユニット３５は、送信者のプレゼンスを購読している受信者、受信者のプレゼンスを送信者も受信手段３１から購読しているが、のプレゼンス状態を受信する。一人以上の送信者が要求仕様と共にメッセージを記憶していた場合、適合ユニットは、全ての関連する受信者のプレゼンス・コンテクストをチェックする。受信者がプレゼンス状態を変化させる毎に、その変化は、適合ユニットに送信される。適合ユニット３５は、記憶装置３３に記憶されたメッセージ及び要求仕様にアクセスし、受信者のプレゼンス・コンテクストを、そして時には送信者のプレゼンス・コンテクストをも、送信者の与えた要求仕様と比較する。受信者のプレゼンス・コンテクストが記憶された要求仕様に適合するときは、接続されたメッセージが、適合ユニット３５と接続する配信手段３７に送信される。そこから、メッセージは、受信者に配信される。メッセージは、送信者のプレゼンス状態として受信者の仲間リストの中に示される通りであるか、上述したあらゆるネットワークを通して送信されるか、のいずれかである。
【００３６】
一つの具体例において、一つの適合手段は、一つ以上のプレゼンス・サーバーによって使用され得る。これが可能となるのは、様々なプレゼンス・システムのプレゼンス・サーバーが、お互いのプレゼンスに加入する送信者と受信者のためのプレゼンス情報を交換するからである。
【００３７】
図３は、本発明の一つの具体例となるフローチャートである。この具体例には、送信者１と第一の受信者３が参加している。この二人は両者とも、お互いのプレゼンスを購読している。参照番号は、図１と関連する。このプロセスのステップを以下で述べる。
【００３８】
Ｓ５１：送信者１は、先に定義したように、要求仕様と共にメッセージを第一のプレゼンス・サーバー１１に送信する。一つの特定した例ではあるが、要求仕様は、受信者が“コーヒー・ショップ”に位置することを要求する。この場合、メッセージは例えば、「にんじんケーキを注文せよ」となる。
【００３９】
Ｓ５３：メッセージと要求仕様は、適合手段１５に送信される。
【００４０】
Ｓ５５：メッセージと要求仕様は、データ・ベース１７に記憶される。
【００４１】
Ｓ５７：適合手段１５は、送信者のプレゼンスを購読している受信者のプレゼンス・コンテクストを絶えず要求仕様と比較する。
【００４２】
Ｓ５９：第一の受信者３は、自分のプレゼンス・コンテクストが送信者１の与えた要求仕様に合うようにプレゼンス状態を変化させる。この変化は、第一のプレゼンス・サーバー１１で受信される。上述の例では、これは、“コーヒー・ショップ”の位置である。
【００４３】
Ｓ６１：この変化は、適合手段１５に対して送信される。
【００４４】
Ｓ６３：適合手段１５は、送信者１からメッセージと共に与えられた要求仕様と新しいプレゼンス・コンテクストを比較する。より多くのメッセージが要求仕様と共にデータ・ベース１７に記憶されている場合、適合手段１５は、加入者の様々なプレゼンス状態と全ての要求仕様を比較する。
【００４５】
Ｓ６５：適合手段１５は、要求仕様に合ったプレゼント・コンテクストを持つ受信者を発見すると、メッセージが、配信される。上述の例では、第一の受信者３のプレゼンス・コンテクストが、要求仕様に合っており、メッセージは、第一の受信者３に配信される。
【００４６】
一つの具体例において、メッセージを配信する方法は、受信者のプレゼンス状態に依存する。例えば、受信者が自分の携帯電話のところにいるならば、メッセージはＳＭＳとして送信してもよく、そして、受信者が自分のコンピュータのところにいるならば、メッセージは電子メールやインスタント・メッセージとして送信してもよい。
【図１】
2010092495.tif 000003
【図２】
2010092495.tif 000004
【図３】
2010092495.tif 000005
【手続補正書】
【提出日】平成22年1月12日(2010.1.12)
【手続補正１】
【補正対象書類名】特許請求の範囲
【補正対象項目名】全文
【補正方法】変更
【補正の内容】
【特許請求の範囲】
【請求項１】
少なくとも一人の送信者（１）の送信手段と少なくとも一人の受信者（３、５）の受信手段が、直接又は別のプレゼンス・サービス・システムを通して接続されるプレゼンス・サービス・システムにおけるメッセージ配信の方法であって、
要求仕様と共にメッセージを前記送信手段からサービス・プロバイダー（７）へ送信し、前記要求仕様は、前記受信者及び／又は前記送信者のプレゼンス・コンテクストにおいて前記メッセージが配信される条件を決定すること、
前記メッセージと要求仕様が前記サービス・プロバイダー（７）のデータベース (17)に記憶されること、
前記サービス・プロバイダー（７）の適合手段（１５）が少なくとも前記送信者の実際のプレゼンス・コンテクストを前記要求仕様と比較すること、及び
前記適合手段（１５）の配信手段（３７）は、前記要求仕様の条件に合ったときに、前記メッセージを配信すること、
を特徴とするメッセージ配信の方法。
【請求項２】
前記配信手段（３７）は、要求されたプレゼンス・コンテクストを有する前記受信者の受信手段へ前記メッセージを配信すること、を特徴とする請求項１に記載の方法。
【請求項３】
前記配信手段（３７）は、前記メッセージを前記受信手段に配信し、前記送信者のプレゼンス表現について該メッセージを受信側に表示すること、を特徴とする請求項１又は２のいずれか一つに記載の方法。
【請求項４】
前記メッセージの配信は、あらゆる種類のネットワークを介したＳＭＳ、インスタント・メッセージ又は電子メールとして前記受信手段に送信される前記メッセージの提供を含むこと、を特徴とする請求項１又は２のいずれか一つに記載の方法。
【請求項５】
少なくとも一人の送信者（１）の送信手段と少なくとも一人の受信者（３、５）の受信手段が直接又は別のプレゼンス・サーバー（１３）を通して接続されるプレゼンス・サービス・システムの少なくとも一つのプレゼンス・サーバー（１１）に接続可能な適合手段であって、
要求仕様と共にメッセージを前記送信手段から受信するように構成された受信手段（３１）を含み、前記要求仕様は、前記受信者及び／又は前記送信者のプレゼンス・コンテクストにおいて前記メッセージが配信される条件を決定し、
前記メッセージと前記要求仕様を記憶するように構成された記憶手段（３３）を含み、
少なくとも前記送信者の実際のプレゼンス・コンテクストを前記要求仕様と比較するように構成された適合ユニット（３５）を含み、
前記要求仕様の条件に合ったとき前記メッセージを配信するように構成された配信手段（３７）を含む、
こと、を特徴とする適合手段。
【請求項６】
前記適合手段の受信手段（３１）は、前記メッセージと前記要求仕様を前記第一のプレゼンス・サーバー（１１）から受信するように構成されること、を特徴とする請求項５に記載の適合手段。
【請求項７】
前記記憶手段は、前記適合手段に接続されたデータ・ベース（１７）に前記メッセージ及び前記要求仕様を記憶するように構成されること、を特徴とする請求項５又は６に記載の適合手段。
【請求項８】
前記配信手段（３７）は、  前記メッセージを前記少なくとも１人の受信者（３、５）の受信手段に配信し、前記送信者のプレゼンス表現について該メッセージを受信側に表示すること、を特徴とする請求項５〜７のいずれか一つに記載の適合手段。
【請求項９】
前記配信手段（３７）は、あらゆる種類のネットワークを通したＳＭＳ、インスタント・メッセージ又は電子メールとして前記少なくとも１人の受信者（３、５）の受信手段に送信される前記メッセージを提供するように構成されること、を特徴とする請求項５〜７のいずれか一つに記載の適合手段。
【請求項１０】
直接又は別のサービス・プロバイダー（９）を通してプレゼンス・サービス・システムに接続されている少なくとも一つのサービス・プロバイダー（７）及び少なくとも一人の送信者（１）の送信手段及び少なくとも一人の受信者（３、５）の受信手段を含むプレゼンス・サービス・システムであって、前記サービス・プロバイダー（７）は、請求項５〜９のいずれか一つに記載の適合手段を含むこと、を特徴とするプレゼンス・サービス・システム。